(57)【要約】【課題】巻回型の電極体を備えた蓄電装置において、ハイレート充放電を行ったとしても、内部抵抗が大きくなることを抑制することができる蓄電装置を提供する。【解決手段】蓄電装置は、蓄電セル２と、押圧部材１３，１４を含み、蓄電セル２は、セパレータ、正極合材層および負極合材層が重なり合う重なり部分を含み、押圧部材１３，１４は、前記重なり部分の外周縁部のうち、前記第１巻回端面５３と隣り合う部分を押圧する第１押圧部分７２と、前記第１平坦部分５１および前記第１湾曲部分の接続部分を押圧する第２押圧部分７０とを含む。【選択図】図３
2020061216.tif 000002
【特許請求の範囲】
【請求項１】
正極シートとセパレータと負極シートとを含む電極体と、
前記電極体を収容する収容ケースと、
前記収容ケース内に収容された電解液と、
前記収容ケース内に設けられ、前記電極体を押圧する押圧部材と、
を備え、
前記電極体は、前記正極シートと前記セパレータと前記負極シートを積層した状態で巻回軸線の周囲を取り囲むように巻回されており、
前記正極シートは、正極金属箔と、前記正極金属箔に形成された正極合材層とを含み、
前記負極シートは、負極金属箔と、前記負極金属箔に形成された負極合材層とを含み、
前記電極体は、前記正極合材層と、前記セパレータと、前記負極合材層との重なり部分を含み、
前記電極体は、
前記電極体の厚さ方向に配列し、平坦面状に形成された第１平坦部分および第２平坦部分と、
前記巻回軸線の延びる方向に配列し、前記正極シートの端辺と前記セパレータの端辺と前記負極シートの端辺とが巻回されることで形成された第１巻回端面および第２巻回端面と、
前記巻回軸線が延びる方向および前記厚さ方向が交差する方向に延びる方向において前記電極体の一端側に位置すると共に、前記第１平坦部分および前記第２平坦部分を接続する第１湾曲部分と、
前記電極体の他端側に位置すると共に、前記第１平坦部分および前記第２平坦部分を接続する第２湾曲部分と、
を含み、
前記押圧部材は、前記重なり部分の外周縁部のうち、前記第１巻回端面と隣り合う部分を押圧する第１押圧部分と、前記第１平坦部分および前記第１湾曲部分の接続部分を押圧する第２押圧部分とを含む、蓄電装置。
【請求項２】
前記押圧部材は、絶縁材料によって形成されており、
前記押圧部材は、前記電極体の外周面に配置された、請求項１に記載の蓄電装置。
【請求項３】
前記電極体は、内部に中空部が形成されており、
前記押圧部材は、絶縁材料によって形成されており、
前記押圧部材は、前記中空部内に配置された、請求項１に記載の蓄電装置。
【請求項４】
正極シートと、セパレータと、負極シートとが積層方向に積層されることで形成されている電極体と、
前記電極体を収容する収容ケースと、
前記収容ケース内に収容された電解液と、
前記収容ケース内に設けられた押圧部材と、
を備え、
前記電極体は、積層方向に積層された正極シートと、セパレータと、負極シートとを含み、
前記正極シートは、正極金属箔と、前記正極金属箔に形成された正極合材層とを含み、
前記負極シートは、負極金属箔と、前記負極金属箔に形成された負極合材層とを含み、
前記電極体は、前記正極合材層と、前記セパレータと、前記負極合材層とが積層された積層部分を含み、
前記電極体は、前記積層方向において、前記電極体の一端に位置する第１主面および前記電極体の他端に位置する第２主面を含み、
前記押圧部材は、前記第１主面のうち、前記積層部分が位置する部分の外周縁部に沿って前記電極体を押圧する、蓄電装置。
【請求項５】
前記押圧部材は、絶縁材料によって形成されており、
前記押圧部材は、前記電極体の外周面に配置された、請求項１に記載の蓄電装置。
【請求項６】
前記押圧部材は、絶縁材料によって形成されており、
前記押圧部材は、前記電極体内に配置された、請求項１に記載の蓄電装置。
【発明の詳細な説明】
【技術分野】
【０００１】
本開示は、蓄電装置に関する。
【背景技術】
【０００２】
従来からリチウムイオン電池やニッケル水素電池などの蓄電装置が提案されている。一般に、蓄電装置は、一方向に配列する複数の蓄電セルと、複数の蓄電セルを拘束する拘束部材とを備える。各蓄電セルは、電極体と、電極体を収容する収容ケースと、収容ケース内に収容された電解液とを含む。電極体は、正極シートと、セパレータと、負極シートとを含む。
【０００３】
拘束部材は、２つの拘束板と、締付け用バンドとを含む。各拘束板は、蓄電セルの配列方向において蓄電装置の各端部に配置されている。締付け用バンドは、各拘束板に接続されており、拘束板間の蓄電セルに拘束力を付加している。
【０００４】
電極体は、たとえば、正極シートと、セパレータと、負極シートとを積層した状態で巻回軸線の周囲を取り囲むように巻回し、さらに、扁平形状に変形させることで形成されている。このようにして形成された巻回型の電極体は、一対の平坦面、一対の端面および一対の湾曲面を含む。一対の平坦面は、厚さ方向に配列しており、一対の湾曲面は、高さ方向に配列しており、各湾曲面は各平坦面を接続している。各端面は、巻回軸線の延びる方向の両端部に位置している。各端面は、正極シートの外周辺と、セパレータの外周辺と、負極シートの外周辺とが巻回されることで形成されている。
【０００５】
このような電極体において、約１０Ｃ〜２０Ｃの充放電を継続的に繰り返すハイレート充放電を行うと、電極体の中央部の温度が電極体の周縁部の温度よりも高くなる。電極体の中央部の温度が電極体の周縁部の温度よりも高くなると、電極体の中央部は電極体の端部側よりも膨らむように変形する。電極体の中央部が大きく膨らむことで、電極体の中央部および収容ケースの間の面圧は高くなると共に、収容ケースの中央部も電極体に押されて膨らむように変形する。これに伴い、収容ケースの端部側においても、中央部の膨らみに伴って、外方向に膨らむように変形する。収容ケースの端部側が膨らむように変形する一方で、電極体の端部側の変形量は小さいため、電極体の端部側および収容ケースの間の面圧は低下する。その結果、電極体において、中央部の内圧は端部側の内圧よりも高くなる。
【０００６】
電極体の中央の内圧が電極体の端面側の内圧よりも高くなると、電解液が端面側に移動して端面から電極体の外部に移動する。電解液が電極体の外部に移動すると、電解液と移動と共に電解液中のリチウム塩なども電極体１１の外部に移動することになり、電極体の中央部における塩濃度は、電極体の端面側の塩濃度よりも低くなる。このように、塩濃度に差が生じると、リチウムイオン電池の内部抵抗が高くなる。
【０００７】
そこで、特開２０１６−４７２４号公報に記載された蓄電装置においては、配列する蓄電セルの間に加圧板を配置しており、加圧板には、第１荷重部と、第２荷重部とが形成されている。第１荷重部は、収容ケース越しに、電極体の平坦面のうち端面側に位置している。第２荷重部は、収容ケース越しに、電極体の平坦面の中央に位置している。そして、第１荷重部の熱膨張係数は、第２荷重部の熱膨張係数よりも大きい。
【０００８】
この蓄電装置において、ハイレート充放電を行うと、電極体の熱によって第１荷重部および第２荷重部が膨張する。この際、第１荷重部の熱膨張係数は、第２荷重部の熱膨張係数よりも大きいため、第１荷重部は第２荷重部よりも大きく膨張する。これにより、第１荷重部が収容ケース越しに電極体の端部を押圧力は、第２荷重部が収容ケース越しに電極体の中央部を押圧する押圧力よりも大きくなる。
【０００９】
これにより、電極体の端面から電解液が、電極体の外部に漏れだすことを抑制することができ、電極体内における塩濃度に差が生じることが抑制されている。
【００１０】
なお、上記の例においては、ハイレート充放電を行ったときに、蓄電セルの内部抵抗が大きくなることを抑制するための構成について記載されている。
【００１１】
特開２０１２−１１３９３５号公報に記載された蓄電セルは、充電を所定時間継続して実施したときや、放電を所定時間継続して実施したときに、蓄電セルの内部抵抗が大きくなることを抑制するための構成が紹介されている。
【００１２】
蓄電セルへの充電を所定時間継続して実施すると、電極体の端部は電極体の中央よりも面圧が大きくなる。その一方で、蓄電セルへからの放電を所定時間継続して実施すると、電極体の端部は電極体の中央よりも面圧が低くなる。このように、電極体において面圧にバラツキが生じると、蓄電セルの抵抗が上昇する。
【００１３】
そこで、特開２０１２−１１３９３５号公報に記載された蓄電セルにおいては、電極体の端部側に粘着テープを装着している。この粘着テープは、電極体の端部が充放電によって膨張または収縮することを抑制している。
【００１４】
これにより、充電を所定時間継続して実施したり、放電を所定時間継続して実施した場合においても、電極体に面圧のバラツキが生じることが抑制されている。
【先行技術文献】
【特許文献】
【００１５】
【特許文献１】特開２０１６−４７２４号公報
【特許文献２】特開２０１２−１１３９３５号公報
【発明の概要】
【発明が解決しようとする課題】
【００１６】
特開２０１６−４７２４号公報に記載された蓄電装置においては、加圧板の第１荷重部は、収容ケースを間に挟んで、電極体の端部を押圧しており、電極体の端部に正確に荷重を加えることが困難である。たとえば、第１荷重部の幅が大きすぎると、電極体の中央部にも荷重が加えられてしまうおそれがある。
【００１７】
ここで、ハイレート充放電を実施すると、電極体の中央部と湾曲面が位置する部分との間において、温度ばらつきが生じる。その結果、電極体のうち、湾曲面および平坦面の境界部分において、各シート間に隙間が生じやすくなっている。
【００１８】
特開２０１６−４７２４号公報に記載された蓄電装置において、湾曲面および平坦面の境界部分には、荷重が加えられていない。同様に、特開２０１２−１１３９３５号公報に記載された蓄電装置においても、電極体の湾曲面および平坦面との境界部分に荷重を加える構成となっていない。
【００１９】
そのため、特開２０１６−４７２４号公報および特開２０１２−１１３９３５号公報のいずれにおいても、ハイレート充放電を実施すると、電極体内のシート間において、隙間が生じ、蓄電セルの内部抵抗が高くなるとの課題が生じるおそれがある。
【００２０】
なお、特開２０１６−４７２４号公報および特開２０１２−１１３９３５号公報においては、正極シート、セパレータおよび負極シートが順次積層された積層型の電極体について考慮されていない。
【００２１】
本開示は、上記のような課題に鑑みてなされたものであって、その第１の目的は、巻回型の電極体を備えた蓄電装置において、ハイレート充放電を行ったとしても、内部抵抗が大きくなることを抑制することができる蓄電装置を提供することである。第２の目的は、積層型の電極体を備えた蓄電装置において、ハイレート充放電を行ったとしても、内部抵抗が大きくなることを抑制することができる蓄電装置を提供することである。
【課題を解決するための手段】
【００２２】
本開示に係る蓄電装置は、正極シートとセパレータと負極シートとを含む電極体と、電極体を収容する収容ケースと、収容ケース内に収容された電解液と、収容ケース内に設けられ、電極体を押圧する押圧部材とを備える。
【００２３】
上記電極体は、正極シートとセパレータと負極シートを積層した状態で巻回軸線の周囲を取り囲むように巻回されており、正極シートは、正極金属箔と、正極金属箔に形成された正極合材層とを含み、負極シートは、負極金属箔と、負極金属箔に形成された負極合材層とを含み、電極体は、正極合材層と、セパレータと、負極合材層との重なり部分を含む。
【００２４】
上記電極体は、電極体の厚さ方向に配列し、平坦面状に形成された第１平坦部分および第２平坦部分と、巻回軸線の延びる方向に配列し、正極シートの端辺とセパレータの端辺と負極シートの端辺とが巻回されることで形成された第１巻回端面および第２巻回端面と、巻回軸線が延びる方向および厚さ方向が交差する方向に延びる方向において電極体の一端側に位置すると共に、第１平坦部分および第２平坦部分を接続する第１湾曲部分と、配列方向において、電極体の他端側に位置すると共に、第１平坦部分および第２平坦部分を接続する第２湾曲部分とを含む。
【００２５】
上記押圧部材は、重なり部分の外周縁部のうち、第１巻回端面と隣り合う部分を押圧する第１押圧部分と、第１平坦部分および第１湾曲部分の接続部分を押圧する第２押圧部分とを含む。
【００２６】
上記の蓄電装置によれば、ハイレート充放電を実施したとしても、電極体内から電解液が端面から外部に漏れ出ることを抑制することができる。また、ハイレート充放電を実施した際に湾曲部分および平坦部分との境界部分において、シート間に隙間が生じることを抑制することができる。
【００２７】
上記押圧部材は、絶縁材料によって形成されており、押圧部材は、電極体の外周面に配置されている。押圧部材によって、電極体および収容ケースとの間の絶縁を図ることができる。
【００２８】
上記電極体は、内部に中空部が形成されており、押圧部材は、絶縁材料によって形成されており、押圧部材は、中空部内に配置されている。電極体および押圧部材を一体的に形成することができ、電極体および押圧部材を収容ケース内に収容する際に簡単に収容することができる。
【００２９】
本開示に係る蓄電装置は、正極シートと、セパレータと、負極シートとが積層方向に積層されることで形成されている電極体と、電極体を収容する収容ケースと、収容ケース内に収容された電解液と、収容ケース内に設けられた押圧部材と、を備え、集電体は、積層方向に積層された正極シートと、セパレータと、負極シートとを含み、正極シートは、正極金属箔と、正極金属箔に形成された正極合材層とを含み、負極シートは、負極金属箔と、負極金属箔に形成された負極合材層とを含み、電極体は、正極合材層と、セパレータと、負極合材層とが積層された積層部分を含み、電極体は、積層方向において、電極体の一端に位置する第１主面および電極体の他端に位置する第２主面を含み、押圧部材は、第１主面のうち、積層部分が位置する部分の外周縁部に沿って電極体を押圧する。
【００３０】
上記の蓄電装置によれば、ハイレート充放電を実施した際に、積層型の電極体の周面に押圧部材から押圧力が加えられる。これにより、電極体の周面から電解液が外部に漏れることを抑制することができる。
【００３１】
上記の押圧部材は、絶縁材料によって形成されており、押圧部材は、電極体の外周面に配置されている。上記の蓄電装置によれば、電極体および収容ケース間の絶縁性が確保されている。
【００３２】
上記押圧部材は、絶縁材料によって形成されており、押圧部材は、電極体内に配置されている。押圧部材および電極体を一体的に収容ケース内に挿入することができ、押圧部材および電極体を簡単に、収容ケース内に収容することができる。
【発明の効果】
【００３３】
本開示に係る蓄電装置によれば、ハイレート充放電を実施したとしても、内部抵抗が高くなることを抑制することができる。
【図面の簡単な説明】
【００３４】
【図１】本実施の形態１に係る蓄電装置１を示す斜視図である。
【図２】蓄電セル２を示す斜視図である。
【図３】蓄電セル２を示す分解斜視図である。
【図４】電極体１１を示す斜視図である。
【図５】電極体１１を示す斜視図である。
【図６】蓄電セル２を示す側断面図である。
【図７】蓄電セル２を模式的に示す平断面図である。
【図８】電極体１１が膨らむように変形した状態を示す断面図である。
【図９】比較例に係る蓄電セル２Ａを示す断面図である。
【図１０】蓄電セル２Ａにおいて、ハイレート充放電を実施したときにおける平断面図である。
【図１１】蓄電セル２Ａにおいて、ハイレート充放電を実施した際における側断面図である。
【図１２】蓄電セル２の変形例である蓄電セル２Ｂを示す側断面図である。
【図１３】蓄電セル２Ｂを示す平断面図である。
【図１４】本実施の形態２に係る蓄電セル２Ｃを示す分解斜視図である。
【図１５】蓄電セル２Ｃを示す平断面図である。
【図１６】蓄電セル２Ｃを示す側断面図である。
【図１７】ハイレート充放電を行うことで、電極体１１Ｃが熱膨張した状態を示す側断面図である。
【図１８】ハイレート充放電を行うことで、電極体１１Ｃが熱膨張した状態を示す平断面図である。
【図１９】蓄電セル２Ｄを示す分解斜視図である。
【図２０】蓄電セル２Ｄを示す平断面図である。
【図２１】蓄電セル２Ｄを示す側断面図である。
【図２２】本実施の形態４に係る蓄電セル２Ｅを示す分解斜視図である。
【図２３】押圧部材１６２を示す斜視図である。
【図２４】蓄電セル２Ｅを示す断面図である。
【図２５】蓄電セル２Ｅを示す側断面図である。
【発明を実施するための形態】
【００３５】
図１から図２５を用いて、本実施の形態に係る蓄電装置について説明する。図１から図２５に示す構成のうち、同一または実質的に同一の構成については、同一の符号を付して重複した説明を省略する。なお、実施の形態に示す構成において、請求項に記載された構成に対応する構成には、括弧書きで請求項の構成を併記する場合がある。
（実施の形態）
図１は、本実施の形態１に係る蓄電装置１を示す斜視図である。蓄電装置１は、複数の蓄電セル２と、拘束部材３とを備える。複数の蓄電セル２は、配列方向Ｄ１に配列するように設けられている。
【００３６】
複数の蓄電セル２は、配列方向Ｄ１に配列しており、各蓄電セル２の間には図示されていない絶縁板が配置されている。
【００３７】
拘束部材３は、拘束板５と、拘束板６と、拘束バンド７とを含む。拘束板５は、配列方向Ｄ１において蓄電装置１の一端に配置されており、拘束板６は、配列方向Ｄ１において、蓄電装置１の他端に配置されている。拘束バンド７は、拘束板５および拘束板６を接続すると共に、拘束板５および拘束板６を拘束している。
【００３８】
拘束板５および拘束板６の間に配置された複数の蓄電セル２は、拘束板５および拘束板６によって押圧されており、拘束板５および拘束板６の間で拘束されている。
【００３９】
図２は、蓄電セル２を示す斜視図である。蓄電セル２は、平坦面状の直方体形状に形成されている。図３は、蓄電セル２を示す分解斜視図である。
【００４０】
蓄電セル２は、収容ケース１０と、電極体１１と、電解液１２と、押圧部材１３，１４とを含む。
【００４１】
収容ケース１０は、ケース本体１７と、蓋１８とを含む。ケース本体１７は、上方に向けて開口する開口部１９が形成されている。
【００４２】
収容ケース１０は、主板２０，２１と、底板２２と、端面板２３，２４とを含む。主板２０，２１と、端面板２３，２４とは、底板２２の周縁部から上方に向けて延びるように形成されている。
【００４３】
主板２０および主板２１は配列方向Ｄ１に配列しており、端面板２３および端面板２４は幅方向Ｗに配列している。開口部１９は、上方に向けて開口するように形成されている。
【００４４】
蓋１８は、板状に形成されている。蓋１８の上面には、正極外部端子３０と、負極外部端子３１とが幅方向Ｗに間隔をあけて配置されている。
【００４５】
蓋１８の下面には、正極集電板３２および負極集電板３３が配置されている。正極集電板３２は、正極外部端子３０に接続されており、負極集電板３３は負極外部端子３１に接続されている。
【００４６】
電極体１１は、正極３５と、負極３６とを含む。図４および図５は、電極体１１を示す斜視図である。電極体１１は、正極シート４０と、セパレータ４１と、負極シート４２と、セパレータ４３とを含む。なお、図４において、破線は、電極体１１から取り外した正極シート４０、セパレータ４１、負極シート４２、セパレータ４３の一部を示す。
【００４７】
電極体１１を形成する際には、まず、電極体１１は、正極シート４０と、セパレータ４１と、負極シート４２と、セパレータ４３とを積層して積層シートを形成する。そして、この積層シートを巻回軸線Ｏ１を中心に巻回して円柱状の巻回体を形成し、この巻回体を金型で押しつぶすことで、扁平形状の電極体１１が形成される。
【００４８】
正極シート４０は、金属箔４５と、正極合材層４６とを含む。金属箔４５は、たとえば、アルミニウムなどによって形成されている。正極合材層４６は金属箔４５の表裏面に形成されており、金属箔４５には正極合材層４６が塗布されていない未塗布部４７が形成されている。
【００４９】
正極合材層４６は、正極活物質と、導電剤と、結着剤などを含む。正極活物質としては、たとえば、ＮＣＭ（Li(Ni,Co,Mn)O2）などを採用することができる。セパレータ４１，４３は、多孔質性の不織布などによって形成されている。
【００５０】
負極シート４２は、金属箔４８と、負極合材層４９とを含む。金属箔４８は、たとえば、銅などによって形成されている。負極合材層４９は、金属箔４８の表裏面に形成されており、金属箔４８には負極合材層４９が形成されていない未塗布部５０が形成されている。
【００５１】
負極合材層４９は、負極活物質と、結着剤と、増粘剤とを含む。負極活物質としては、たとえば、黒鉛質粒子（核材）の表面に非晶質炭素膜を形成し得るコート原料（コート種）を付着・炭化させることにより形成される。上記核材としては、天然黒鉛、人工黒鉛等の各種黒鉛を粒子状（球状）に加工（粉砕、球状成形等）したものを使用することができる。
【００５２】
そして、金属箔４５が巻回軸線Ｏ１を中心に巻回されることで、正極３５が形成され、金属箔４８が巻回軸線Ｏ１を中心に巻回されることで、負極３６が形成されている。
【００５３】
上記のように構成された電極体１１は、平坦部分（第１平坦部分）５１と，平坦部分（第２平坦部分）５２と、端面（第１巻回端面）５３と、端面（第２巻回端面）５４と、湾曲部分（第１湾曲部分）５５と、湾曲部分（第２湾曲部分）５６とを含む。
【００５４】
平坦部分５１，５２は、配列方向Ｄ１に配列しており、平坦部分５１，５２は、巻回体を金型が押圧されることで平坦面状に形成されている。
【００５５】
端面５３および端面５４は幅方向Ｗに配列しており、端面５３，５４は、正極シート４０、セパレータ４１、負極シート４２、セパレータ４３の各辺部が巻回された状態で位置している。
【００５６】
湾曲部分５５は、平坦部分５１の上辺および平坦部分５２の上辺を接続するように形成されており、湾曲部分５５は上方に向けて膨らむように湾曲している。湾曲部分５６は、平坦部分５１の下辺および平坦部分５２の下辺を接続するように形成されている。湾曲部分５６は下方に向けて膨らむように湾曲している。図４において、接続部分６０は、湾曲部分５５および平坦部分５１の接続部分である。具体的には、接続部分６０は、平坦面状の平坦部分５１から湾曲面状の湾曲部分５５に変わる変曲部分である。同様に、接続部分６１は、平坦面状の平坦部分５１から湾曲面状の湾曲部分５６に変曲する変曲部分である。
【００５７】
図３において、押圧部材１３は、電極体１１の平坦部分５１側に配置されており、押圧部材１４は、平坦部分５２側に配置されている。
【００５８】
押圧部材１３は、たとえば、樹脂などの絶縁材料によって形成されている。押圧部材１３は、板部６５と、押圧部６６とを含む。板部６５は略長方形形状の板状に形成されており、板部６５は幅方向Ｗに長尺に形成されている。板部６５は、板部６５の厚さ方向に配列する板部６５は、主面６７および主面６８を含む。
【００５９】
主面６７は、電極体１１の平坦部分５１と対向しており、主面６８は主面６７と反対側に位置している。押圧部６６は、主面６７に形成されており、押圧部６６は主面６７の外周縁部に沿って環状に形成されている。押圧部６６は、押圧辺（第２押圧部分）７０，７１と、押圧辺（第１押圧部分）７２，７３とを含む。
【００６０】
押圧辺７０は、主面６７の上長辺に沿って形成されており、押圧辺７１は、主面６７の下長辺に沿って形成されている。押圧辺７２は、一方の短側辺に沿って形成されており、押圧辺７３は、他方の短側辺に沿って形成されている。
【００６１】
押圧部材１４も、絶縁材料によって形成されており、押圧部材１３，１４によって、収容ケース１０および電極体１１の間の絶縁性の確保が図られている。押圧部材１４は、板部８０と、押圧部８１とを含む。板部８０は、板状であって略長方形に形成されており、板部８０は主面８２および主面８３を含む。
【００６２】
主面８２は、電極体１１の平坦部分５２と対向しており、主面８３は主面８２と反対側に位置している。
【００６３】
押圧部８１は、板部８０の主面８２に形成されており、押圧部８１は主面８２の外周縁部に沿って環状に形成されている。押圧部８１は、主面６７の長辺に沿って延びる押圧辺８６，８７と、主面６７の短辺に沿って延びる押圧辺８８，８９とを含む。
【００６４】
図６は、蓄電セル２を示す側断面図である。押圧部材１３は、電極体１１およびケース本体１７の主板２０の間に配置されており、押圧部材１４は、電極体１１およびケース本体１７の主板２１の間に配置されている。
【００６５】
押圧部材１３の押圧辺７０は、電極体１１の平坦部分５１側から接続部分６０を押圧しており、押圧部材１３の押圧辺７１は平坦部分５２側から接続部分６１を押圧している。その一方で、押圧部材１３の主面は、電極体１１の平坦部分５１から離れている。
【００６６】
押圧部材１４の押圧辺８６は、電極体１１の平坦部分５２側から接続部分６０を押圧しており、押圧辺８７は、平坦部分５２側から接続部分６１を押圧している。
【００６７】
図７は、蓄電セル２を模式的に示す平断面図である。
負極シート４２はセパレータ４３およびセパレータ４１によって挟み込まれており、負極シート４２の未塗布部５０は、セパレータ４３，４１から端面板２４側に突出している。そして、未塗布部５０は、負極集電板３３に溶接されている。
【００６８】
セパレータ４３は負極シート４２の一方の面に形成された負極合材層４９を覆うように形成されており、セパレータ４１は負極シート４２の他方の面に形成された負極合材層４９を覆うように形成されている。
【００６９】
同様に、セパレータ４１は、正極シート４０の一方の面に形成された正極合材層４６を覆うように形成されており、セパレータ４３は、正極シート４０の他方の面に形成された正極合材層４６を覆うように形成されている。
【００７０】
このように、電極体１１は正極合材層４６と、セパレータ４１と、負極合材層４９と、セパレータ４３とが重なり合う重なり部分３７を含む。なお、正極シート４０の未塗布部４７は、重なり部分３７から端面板２３側に突出している。そして、正極集電板３２が、未塗布部４７に溶接されている。
【００７１】
平坦部分５１の外表面に位置する重なり部分３７の外周縁部は、縁部３８Ａおよび縁部３８Ｂを含む。縁部３８Ａは端面５３側に位置しており、縁部３８Ｂは端面５４側に位置している。
【００７２】
同様に、平坦部分５２の外表面に位置する重なり部分３７の外周縁部は、縁部３９Ａおよび縁部３９Ｂを含む。縁部３９Ａは端面５３側に位置しており、縁部３９Ｂは端面５４側に位置している。なお、縁部３８Ａ，３８Ｂ，３９Ａ，３９Ｂは、高さ方向Ｈに延びるように形成されている。
【００７３】
そして、押圧辺７２，８８は、縁部３８Ａおよび縁部３９Ａを電極体１１の外表面側から押圧している。同様に、押圧辺７３，８９は、縁部３８Ｂおよび縁部３９Ｂを電極体１１の外表面側から押圧している。押圧辺７２，７３，８８，８９は、縁部３８Ａ，３８Ｂ，３９Ａ，３９Ｂに沿って延びるように形成されている。
【００７４】
このため、端面５３側において、押圧辺７２，８８からの押圧力によって、正極シート４０、セパレータ４１、負極シート４２およびセパレータ４３が密着している。同様に、端面５４側において、押圧辺７３，８９からの押圧力によって、正極シート４０、セパレータ４１、負極シート４２およびセパレータ４３が密着している。
【００７５】
このように各シートが密着しているため、電極体１１内の電解液１２が端面５３，５４から電極体１１の外部に漏れることが抑制される。その一方で、押圧部材１４の板部８０の主面８２は、蓄電セル２の平坦部分５２から離れている。
【００７６】
そして、ハイレート充放電を行うと、電極体１１の中央部の温度が高くなる。特に、電極体１１の配列方向Ｄ１および幅方向Ｗの中央部の温度が高くなる。
【００７７】
電極体１１の外周側は、押圧部材１３，１４などを通じて、収容ケース１０に熱が放熱され易い一方で、電極体１１の中央部においては、熱がこもり易いためである。
【００７８】
電極体１１の中央部の温度が高くなると、電極体１１の中央部が熱膨張によって膨らむように変形して、電極体１１の中央部が押圧部材１３，１４に接触する。
【００７９】
図８は、電極体１１が膨らむように変形した状態を示す断面図である。電極体１１が膨らむように変形すると、電極体１１の平坦部分５１が外側に向けて膨らむように変形して、平坦部分５１が押圧部材１３の板部６５に接触する。同様に、電極体１１の平坦部分５２が外側に向けて膨らむように変形して、平坦部分５２が押圧部材１４の板部８０に接触する。
【００８０】
このように、電極体１１の中央部が膨らむように変形することで、電極体１１の中央部は、押圧部材１３および押圧部材１４から押圧されることになる。
【００８１】
電極体１１の中央部が押圧部材１３，１４によって押圧されると、電極体１１の中央部において、各シート間の面圧が大きくなる。電極体１１内には、電解液１２が含浸している。電極体１１の中央部において、シート間の面圧が大きくなると、電極体１１の中央部に含浸している電解液１２は、電極体１１の端面５３，５４側に移動しようとする。
【００８２】
端面５４側において、電極体１１の縁部３８Ｂ，３９Ｂは、押圧辺７３および押圧辺８９によって押圧されている。このため、正極シートなどの各シート同士が密着しており、端面５４側から電解液１２が電極体１１の外部に漏れだすこが抑制されている。
【００８３】
同様に、端面５３側において、縁部３８Ａおよび縁部３９Ａが、押圧辺７２および押圧辺８８によって押圧されており、端面５３側から電解液１２が電極体１１の外部に漏れだすことが抑制されている。このように、電極体１１内から電解液１２が電極体１１の外部に漏れだすことを抑制することができる。
【００８４】
次に、比較例に係る蓄電セルと比較して、本実施の形態１に係る蓄電セル２の優位性について説明する。
【００８５】
図９は、比較例に係る蓄電セル２Ａを示す断面図である。蓄電セル２Ａにおいては、本実施の形態の押圧部材１３，１４が設けられていない。その一方で、電極体が収容ケースと直接接触することを抑制するために、絶縁紙１５が設けられている。
【００８６】
この絶縁紙１５は、電極体１１Ａを下方から包み込むように形成されており、電極体１１Ａの周面が収容ケース１０に接触することが抑制されている。なお、絶縁紙１５の厚さは、全面に亘って均一に形成されている。
【００８７】
蓄電セル２Ａにおいて、ハイレート充放電を実施すると、蓄電セル２Ａにおいても、１電極体１１Ａの中央部の温度が高くなる。図１０は、蓄電セル２Ａにおいて、ハイレート充放電を実施したときにおける平断面図である。
【００８８】
電極体１１Ａの中央部の温度が高くなると、電極体１１Ａの平坦部分５１，５２が外側に膨らむように変形して、絶縁紙１５を間に挟んで収容ケース１０の主板２０，２１と接触する。
【００８９】
蓄電セル２Ａの電極体１１Ａの中央部は主板２０，２１によって押圧される一方で、主板２０，２１の中央部分も電極体１１Ａによって外側に向けて押圧される。
【００９０】
主板２０，２１の中央部が外側に向けて変形することに伴って、主板２０，２１のうち、端面板２３，２４側に位置する部分も、外側に向けて変形する。
【００９１】
その結果、電極体１１Ａのうち、端面５３，５４側に位置する部分と、主板２０，２１との間の距離は、広がる。
【００９２】
そして、蓄電セル２Ａには、本実施の形態の蓄電セル２の押圧部材１３，１４が設けられていない。そのため、蓄電セル２Ａの電極体１１Ａにおいては、端面５３，５４の近傍に押圧力が加えられていない。
【００９３】
そのため、電極体１１Ａの端面５３，５４側においては、各シート間の密着性は低く、電解液１２が各シート間の隙間から電極体１１Ａの外部に漏れ出ることが可能となっている。
【００９４】
そして、電極体１１Ａの中央部において、シート間の面圧が上昇すると、電極体１１Ａ内に含浸している電解液１２は、端面５３，５４に向けて移動し、その後、端面５３，５４におけるシート間の隙間から電極体１１Ａの外部に漏れ出る。
【００９５】
このため、電極体１１Ａの中央部内における電解液１２は少なくなる。その一方で、電極体１１Ａの端面５３，５４側においては、各シート間には隙間があり、電解液１２が残留しやすくなっている。
【００９６】
その結果、電極体１１Ａ内において、中央部における電解液１２の量は、端面５３，５４側における電解液１２の量よりも少なくなる。電解液１２内には、リチウム塩などが含まれており、電極体１１Ａの中央部の塩濃度は、端面５３，５４側の塩濃度よりも低くなる。
【００９７】
このように、電極体１１Ａ内においては、塩濃度が低い部分が生じると、電極体１１Ａの電気的抵抗が高くなり、結果として、蓄電セル２Ａの内部抵抗が高くなる。
【００９８】
その一方で図３などに示す本実施の形態１に係る蓄電セル２においては、電極体１１の温度が上昇したとしても、電極体１１内から電解液１２が電極体１１の外部に漏れることが抑制されている。その結果、電極体１１内において、電解液量にバラツキが生じて、電極体１１内において、塩濃度が低い部分が生じることを抑制することができる。
【００９９】
その結果、ハイレート充放電を実施したとしても、比較例の蓄電セル２Ａよりも内部抵抗を低くすることができる。
【０１００】
図１１は、蓄電セル２Ａにおいて、ハイレート充放電を実施した際における側断面図である。なお、電極体１１Ａの湾曲部分５５側に位置する部分とは、接続部分６０よりも上方に位置する部分であり、電極体１１Ａの湾曲部分５６側に位置する部分とは、接続部分６１よりも下方に位置する部分である。
【０１０１】
蓄電セル２Ａにおいて、ハイレート充放電を実施すると、電極体１１Ａの中央部側の温度は、湾曲部分５５，５６側の温度よりも高くなる。
【０１０２】
そのため、電極体１１Ａの中央部が膨らむように変形する変形量は、電極体１１Ａの湾曲部分５５，５６側が膨らむように変形する変形量よりも大きい。
【０１０３】
そのため、電極体１１Ａの接続部分６０，６１およびその近傍において、正極シートなどの各シート間に隙間が生じやすい。
【０１０４】
このように、電極体１１Ａ内で隙間が生じると、電極体１１Ａの電気的抵抗が高くなり、蓄電セル２Ａの内部抵抗が高くなる。
【０１０５】
その一方は、本実施の形態１に係る蓄電セル２においては、図６に示すように、押圧部材１３，１４は、電極体１１の接続部分６０，６１を押圧しており、当該部分で隙間が生じることが抑制されている。
【０１０６】
そのため、ハイレート充放電を実施したとしても、蓄電セル２の内部抵抗が高くなることが抑制されている。
【０１０７】
このように、本実施の形態１に係る蓄電セル２によれば、ハイレート充放電を実施したとしても、塩濃度のバラツキが電極体１１内で生じることを抑制することができると共に、電極体１１の湾曲部分５５，５６側において、隙間が生じることを抑制することができ、蓄電セル２の内部抵抗が上昇することを抑制することができる。
【０１０８】
なお、本実施の形態１においては、主に、リチウムイオン電池について説明したが、ニッケル水素電池にも適用することできる。
【０１０９】
図１２は、蓄電セル２の変形例である蓄電セル２Ｂを示す側断面図であり、図１３は、蓄電セル２Ｂを示す平断面図である。
【０１１０】
蓄電セル２Ｂは、収容ケース１０と、電極体１１と、電解液１２と、押圧部材１３Ａと、押圧部材１４Ａと、絶縁紙１６とを含む。
【０１１１】
絶縁紙１６は、電極体１１を下方から覆うように形成されており、ケース本体１７の内表面と、電極体１１との間に絶縁紙１６が配置されている。
【０１１２】
押圧部材１３Ａは、収容ケース１０の主板２０の内表面に形成されており、押圧部材１３Ａは、主板２０の内表面から突出するように形成されている。
【０１１３】
押圧部材１３Ａは、環状に接続された押圧部材１３Ａは、押圧辺７０Ａ，７１Ａ，７２Ａ，７３Ａを含む。
【０１１４】
押圧辺７０Ａ，７１Ａは、絶縁紙１６を間に挟んで、電極体１１の接続部分６０，６１を押圧している。押圧辺７２Ａ，７３Ａは、絶縁紙１６を間に挟んで、電極体１１の縁部３８Ａ，３８Ｂを押圧している。
【０１１５】
押圧部材１４Ａは、収容ケース１０の主板２１の内表面に形成されており、押圧部材１４Ａは主板２１の内表面から突出するように形成されている。押圧部材１４Ａは、環状に接続された押圧辺８６Ａ，８７Ａ，８８Ａ，８９Ａを含む。押圧辺８６Ａ，８７Ａは、絶縁紙１６を間に挟んで、電極体１１の接続部分６２，６３を押圧している。押圧辺８８Ａ，８９Ａは、縁部３９Ａ，３９Ｂを押圧している。
【０１１６】
このように、この変形例においても、電極体１１の縁部３８Ａ，３９Ａが押圧辺９２，９６によって押圧されている。さらに、電極体１１の縁部３８Ｂ，３９Ｂが、押圧辺９３，９７によって押圧されている。
【０１１７】
このため、ハイレート充放電を実施したとしても、電極体１１内から電解液１２が電極体１１の外部に漏れることが抑制することができる。これにより、電極体１１内の塩濃度が低い部分が形成されることを抑制することができ、蓄電セル２Ｂの内部抵抗の上昇を抑制することができる。
【０１１８】
また、蓄電セル２Ｂにおいても、電極体１１の接続部分６０，６１は、押圧辺７０Ａ，８６Ａ，７１Ａ，８７Ａによって押圧されている。このハイレート充放電を実施したい際に、電極体１１のうち湾曲部分５５，５６側に位置する部分に隙間が形成されることを抑制することができる。
【０１１９】
このように、蓄電セル２Ｂにおいても、ハイレート充放電を行ったとしても、蓄電セル２Ｂの内部抵抗が上昇することを抑制することができる。
（実施の形態２）
図１４などを用いて、本実施の形態２に係る蓄電装置について説明する。本実施の形態２に係る蓄電装置も、上記の実施の形態１に係る蓄電装置１と同様に、複数の蓄電セル２Ｃを備える。図１４は、本実施の形態２に係る蓄電セル２Ｃを示す分解斜視図である。
【０１２０】
蓄電セル２Ｃは、収容ケース１０と、電極体１１Ｃと、電解液１２と、押圧部材１００と、絶縁紙１６とを含む。
【０１２１】
電極体１１Ｃ内には、中空部１０５が形成されており、押圧部材１００は中空部１０５内に配置されている。
【０１２２】
図１５は、蓄電セル２Ｃを示す平断面図である。電極体１１Ｃは、正極合材層４６と、セパレータ４１と、負極合材層４９と、セパレータ４３とが重なりあっている重なり部分３７Ａおよび重なり部分３７Ｂを含む。重なり部分３７Ａおよび重なり部分３７Ｂは、押圧部材１００を間に挟んで隣り合っている。
【０１２３】
電極体１１Ｃの内表面において、重なり部分３７Ａは、端面５３側に位置する縁部３８Ａ１と、端面５４側に位置する縁部３８Ｂ１とを含む。電極体１１Ｃの内表面において、縁部３８Ｂは、端面５３側の位置する縁部３９Ａ１と、縁部３９Ｂ１とを含む。
【０１２４】
押圧部材１００は、樹脂などの絶縁材料によって形成されている。そして、押圧部材１００の外周面に、正極シート４０と、セパレータ４１と、負極シート４２と、セパレータ４３とが巻回されている。なお、本実施の形態２においても正極シート４０と、セパレータ４１と、負極シート４２と、セパレータ４３とは、巻回軸線の周囲を取り囲むように形成されている。このように、押圧部材１００および電極体１１Ｃが一体的に形成されているので、電極体１１Ｃおよび押圧部材１００を収容ケース１０内に簡単に挿入することができる。
【０１２５】
押圧部材１００は、板部１０１と、押圧部１０２とを含む。板部１０１は、長方形状の板状に形成されている。押圧部１０２は、板部１０１の外周縁部に沿って環状に形成されている。押圧部１０２は、板部１０１の外周縁部から配列方向Ｄ１に張り出すように形成されている。
【０１２６】
そして、押圧部１０２は、押圧辺１１２および押圧辺１１３を含む。そして、押圧部１０２は縁部３８Ａ１および縁部３９Ａ１に接触しており、押圧辺１１３は縁部３８Ｂ１，３９Ｂ１に接触している。
【０１２７】
図１６は、蓄電セル２Ｃを示す側断面図である。押圧部１０２は、押圧辺１１０および押圧辺１１１を含む。なお、押圧辺１１０と、押圧辺１１１と、図１５に示す押圧辺１１２と、押圧辺１１３とは環状に接続されている。電極体１１Ｃ内において、押圧辺１１０は、接続部分６０および接続部分６２と接触しており、押圧辺１１１は、接続部分６１および接続部分６３と接触している。
【０１２８】
上記のように構成された蓄電セル２Ｃにおいて、ハイレート充放電を実施すると、電極体１１Ｃが熱膨張する。
【０１２９】
図１７は、ハイレート充放電を行うことで、電極体１１Ｃが熱膨張した状態を示す側断面図である。
【０１３０】
ハイレート充放電を行うと、電極体１１Ｃの中央部が大きく膨らむように変形する。そして、電極体１１Ｃは、収容ケース１０の主板２０，２１を押圧する。
【０１３１】
これに伴い、電極体１１Ｃ内に形成された中空部１０５が小さくなるように、電極体１１Ｃは変形する。
【０１３２】
そして、電極体１１Ｃの内表面と、押圧部材１００の押圧辺１１０，１１１との間に生じる面圧が大きくなる。換言すれば、押圧部材１００の押圧辺１１０，１１１から電極体１１Ｃに加える押圧力が大きくなる。
【０１３３】
押圧辺１１０，１１１から、電極体１１Ｃの接続部分６０，６１に加える押圧力が大きくなる。これにより、電極体１１Ｃの接続部分６０，６１において、隙間が生じることを抑制することができる。
【０１３４】
図１８は、ハイレート充放電を行うことで、電極体１１Ｃが熱膨張した状態を示す平断面図である。
【０１３５】
押圧部材１００の押圧辺１１２および押圧辺１１３においても、押圧辺１１２，１１３が電極体１１Ｃの縁部３８Ａ１，３９Ａ１，３８Ａ１，３９Ａ１に加える押圧力が大きくなる。
【０１３６】
これにより、電極体１１Ｃ内の電解液１２が、端面５３，５４から電極体１１Ｃの外部に漏れることを抑制することができる。
（実施の形態３）
図１９などを用いて、実施の形態３に係る蓄電セル２Ｄについて説明する。上記実施の形態１、２においては、巻回型の電極体が採用された例について説明したが、本実施の形態３においては、積層型の電極体を採用した例について説明する。
【０１３７】
図１９は、蓄電セル２Ｄを示す分解斜視図である。蓄電セル２Ｄは、電極体１１Ｄと、押圧部材１３Ｄおよび押圧部材１４Ｄとを含む。
【０１３８】
押圧部材１３Ｄ，１４Ｄは、上記の実施の形態１の押圧部材１３，１４と同様に形成されている。押圧部材１３Ｄ，１４Ｄは、絶縁材料によって形成されており、電極体１１Ｄおよび収容ケース１０との間の絶縁性が確保されている。
【０１３９】
押圧部材１３Ｄは、板部６５Ｄおよび押圧部６６Ｄを含む。板部６５Ｄは、長方形状の板状に形成されている。板部６５Ｄは、電極体１１Ｄと対向する主面６７Ｄと、主面６７Ｄの反対側に位置する主面６８Ｄとを含む。押圧部６６Ｄは主面６７Ｄに形成されており、押圧部６６Ｄは主面６７Ｄから突出するように形成されている。押圧部６６Ｄは、環状に形成されており、押圧部６６Ｄは、押圧辺７０Ｄ，７１Ｄ，７２Ｄ，７３Ｄを含む。
【０１４０】
押圧部材１４Ｄは、板部８０Ｄおよび押圧部８１Ｄを含む。板部８０Ｄは、電極体１１Ｄと対向する主面８２Ｄと、主面８２Ｄの反対側に位置する主面８３Ｄとを含む。
【０１４１】
押圧部８１Ｄは、主面８２Ｄに形成されており、押圧部８１Ｄは、主面８２Ｄから電極体１１Ｄに向けて突出するように形成されている。押圧部８１Ｄは、環状に形成されており、押圧部８１Ｄは、押圧辺８６Ｄ，８７Ｄ，８８Ｄ，８９Ｄを含む。
【０１４２】
電極体１１Ｄは、複数のセパレータ１３０と、複数の正極シート１３１と、複数のセパレータ１３２と、複数の負極シート１３３とを含み、電極体１１Ｄは、扁平な直方体形状に形成されている。
【０１４３】
電極体１１Ｄは、主面１２０，１２１と、周面１２２とを含む。主面１２０および主面１２１は、配列方向Ｄ１に配列している。
【０１４４】
周面１２２は、端面１２３，１２４と、上面１２５と、下面１２６とを含む。端面１２３および端面１２４は、幅方向Ｗに配列している。
【０１４５】
電極体１１Ｄの端面１２３側には正極１２７が形成されており、電極体１１Ｄの端面１２４側の端部には負極１２８が形成されている。
【０１４６】
図２０は、蓄電セル２Ｄを示す平断面図である。この図２０に示すように、セパレータ１３０と、正極シート１３１と、セパレータ１３２と、負極シート１３３とを順次積層されることで、電極体１１Ｄが形成されている。
【０１４７】
正極シート１３１は、金属箔１４０と、金属箔１４０の表裏面に形成された正極合材層１４１とを含む。金属箔１４０には、正極合材層１４１が形成されていない未塗布部１４２が形成されている。そして、未塗布部１４２が配列方向Ｄ１に配列することで、正極１２７が形成されている。
【０１４８】
負極シート１３３は、金属箔１４５と、金属箔１４５の表裏面に形成された負極合材層１４６とを含む。金属箔１４５には、負極合材層１４６が形成されていない未塗布部１４７が形成されている。そして、未塗布部１４７が配列方向Ｄ１に配列することで、負極１２８が形成されている。
【０１４９】
ここで、セパレータ１３０と、正極合材層１４１と、金属箔１４０と、正極合材層１４１と、正極シート１３１と、負極合材層１４６と、金属箔１４５と、負極合材層１４６とが重なりあっている部分を重なり部分１５０とする。
【０１５０】
そして、未塗布部１４２は、重なり部分１５０から端面板２３側に突出しており、未塗布部１４７は、重なり部分１５０から端面板２４側に突出している。
【０１５１】
電極体１１Ｄの主面１２０側において、重なり部分１５０の外周縁部は、縁部１５１および縁部１５２を含む。縁部１５１は、端面板２３側に位置しており、縁部１５２は、端面板２４側に位置している。電極体１１Ｄの主面１２１側において、重なり部分１５０の外周縁部は、縁部１５３および縁部１５４を含む。縁部１５３は、端面板２３側に位置しており、縁部１５４は端面板２４側に位置している。
【０１５２】
押圧部材１３Ｄの押圧辺７２Ｄは、重なり部分１５０の縁部１５１を押圧しており、押圧辺７３Ｄは、縁部１５２を押圧している。なお、押圧辺７２Ｄ，７３Ｄは、縁部１５１，１５２に沿って延びている。
【０１５３】
押圧部材１４Ｄの押圧辺８８Ｄは、縁部１５３を押圧しており、押圧辺８９Ｄは縁部１５４を押圧している。なお、押圧辺８８Ｄ，８９Ｄは、縁部１５３，１５４に沿って延びている。
【０１５４】
図２１は、蓄電セル２Ｄを示す側断面図である。
主面１２０側において重なり部分１５０の外周縁部は縁部１５５，１５６を含み、主面１２１側において、重なり部分１５０の外周縁部は縁部１５７，１５８を含む。
【０１５５】
押圧部材１３Ｄの押圧辺７０Ｄは縁部１５５を押圧しており、押圧辺７０Ｄは、縁部１５５に沿って延びている。押圧辺７１Ｄは縁部１５６を押圧しており、押圧辺７１Ｄは縁部１５６に沿って延びている。
【０１５６】
押圧部材１４Ｄの押圧辺８６Ｄは縁部１５７と隣り合う位置を押圧しており、押圧辺８６Ｄは縁部１５７に沿って延びている。押圧辺８７Ｄは、縁部１５８と隣り合う位置を押圧しており、押圧辺８７Ｄは、縁部１５８に沿って延びている。
【０１５７】
図２０および図２１に示すように、主面１２０側において、重なり部分１５０の外周縁部に沿って、押圧部材１３Ｄの押圧部６６Ｄが電極体１１Ｄを押圧しており、主面１２１側において、重なり部分１５０の外周縁部に沿って、押圧部材１４Ｄの押圧部８１Ｄが電極体１１Ｄを押圧している。
【０１５８】
そのため、重なり部分１５０の周面１２２またはその近傍において、押圧部材１３Ｄ，１４Ｄからの押圧力が配列方向Ｄ１に加えられている。その結果、周面１２２およびその近傍において、各シート間の面圧が大きくなっている。
【０１５９】
上記のように構成された蓄電セル２Ｄにおいて、ハイレート充放電を行うと、電極体１１Ｄの中央部が熱膨張する。これにより、電極体１１Ｄの中央部において、各シート間の面圧が大きくなり、電極体１１Ｄの中央部に含浸していた電解液１２が、電極体１１の周面１２２に移動しようとする。
【０１６０】
その一方で、電極体１１Ｄの周面１２２およびその近傍において、各シート間の面圧が大きくなっているため、電解液１２が電極体１１Ｄの外部に漏れることが抑制されている。
【０１６１】
その結果、本実施の形態においても、ハイレート充放電を実施したとしても、電極体１１Ｄ内において、電極体１１Ｄ内で塩濃度が低い部分が生じることを抑制することができる。これにより、蓄電セル２Ｄの内部抵抗が高くなることを抑制することができる。
（実施の形態４）
図２２を用いて、本実施の形態４に係る蓄電セル２Ｅについて説明する。図２２は、本実施の形態４に係る蓄電セル２Ｅを示す分解斜視図である。
【０１６２】
蓄電セル２Ｅは、電極体１１Ｅと、電極体１１Ｅ内に配置された押圧部材１６２とを含む。
【０１６３】
蓄電セル２Ｅは、積層型の電極体であり、蓄電セル２Ｅは、分割電極体１６０，１６１を含み、分割電極体１６０および分割電極体１６１は、配列方向Ｄ１に間隔をあけて配置されている。図２３は、押圧部材１６２を示す斜視図である。押圧部材１６２は、長方形形状の板部１７５と、板部１７５の外周縁部に形成された押圧部１７６とを含む。
【０１６４】
押圧部１７６は、板部１７５の外周縁部に沿って形成されており、押圧部１７６は板部１７５から配列方向Ｄ１に突出するように形成されている。
【０１６５】
押圧部１７６は、環状に形成されており、押圧部１７６は、押圧辺１７７と、押圧辺１７８と、押圧辺１７９と、押圧辺１８０とを含む。
【０１６６】
図２４は、蓄電セル２Ｅを示す断面図である。分割電極体１６０および分割電極体１６１の間には、空隙１６３が形成されており、押圧部材１６２は空隙１６３内に配置されている。そして、蓄電セル２Ｅおよび押圧部材１６２を一体的に収容ケース１０内に挿入することができるため、簡単に、蓄電セル２Ｅおよび押圧部材１６２を収容ケース１０内に挿入することができる。
【０１６７】
分割電極体１６０および押圧部材１６２は、いずれも、セパレータ１３０、正極シート１３１、セパレータ１３２、負極シート１３３を順次積層することで形成されている。
【０１６８】
そして、分割電極体１６０は重なり部分１６５を含み、分割電極体１６１は重なり部分１６６を含む。
【０１６９】
重なり部分１６５，１６６は、セパレータ１３０と、正極シート１３１の正極合材層そ、セパレータ１３２と、負極シート１３３の負極合材層とが重なりあっている部分である。
【０１７０】
空隙１６３側において、分割電極体１６０の外周縁部は、縁部１７０および縁部１７１を含み、縁部１７０，１７１は、高さ方向Ｈに延びるように形成されている。
【０１７１】
空隙１６３側において、分割電極体１６１の外周縁部は、縁部１７２および縁部１７３を含み、縁部１７２，１７３は、高さ方向Ｈに延びるように形成されている。
【０１７２】
押圧部材１６２の押圧辺１７９は、分割電極体１６０の縁部１７０に接触すると共に、分割電極体１６１の縁部１７２に接触している。押圧部材１６２の押圧辺１８０は、分割電極体１６０の縁部１７１に接触すると共に、分割電極体１６１の縁部１７３に接触している。なお、押圧辺１７９は、縁部１７０，１７２に沿って延びるように形成されており、押圧辺１８０は、縁部１７１，１７３に沿って延びるように形成されている。
【０１７３】
図２５は、蓄電セル２Ｅを示す側断面図である。分割電極体１６０は、空隙１６３側において、縁部１９０および縁部１９１を含む。
【０１７４】
押圧部材１６２の押圧部１７６は、縁部１９０および縁部１９２に接触しており、押圧部１７６は、縁部１９０，１９２に沿って延びるように形成されている。押圧辺１７７は、縁部１９１および縁部１９３に接触しており、押圧辺１７７は、縁部１９１および縁部１９３に沿って延びるように形成されている。
【０１７５】
上記のように構成された蓄電セル２Ｅにおいて、ハイレート充放電を実施すると、電極体１１Ｅが膨らむように熱膨張する。
【０１７６】
この際、図２４および図２５において、分割電極体１６０が主板２０に接触し、分割電極体１６１が主板２１に接触する。さらに、空隙１６３も小さくなる。
【０１７７】
この際、図２４において、分割電極体１６０は、主板２０に接触すると共に、分割電極体１６０および押圧辺１７９，１８０の間の面圧が高くなる。
【０１７８】
その結果、端面板２４側において、分割電極体１６０の重なり部分１６５は、主板２０および押圧辺１８０によって挟み込まれる。同様に、端面板２３側において、重なり部分１６５は、主板２０および押圧辺１７９によって挟み込まれる。
【０１７９】
また、分割電極体１６１は、主板２１と接触すると共に、分割電極体１６１および押圧辺１７９，１８０の間の面圧が高くなる。その結果、端面板２４側において、分割電極体１６１の重なり部分１６６は、主板２１および押圧辺１８０によって挟み込まれる。同様に、端面板２３側において、重なり部分１６６は、主板２１および押圧辺１７９によって挟み込まれる。
【０１８０】
図２５においても、同様に、重なり部分１６５の縁部１９０，１９１は、押圧辺１７６，１７７および主板２０によって挟み込まれ、重なり部分１６６の縁部１９２，１９３は、押圧部１７６，１７７および主板２１によって挟み込まれる。
【０１８１】
その結果、分割電極体１６０、１６１の周面において、各シート間の面圧が高くなり、電極体１１Ｅ内に含浸した電解液１２が電極体１１Ｅの外部に漏れ出ることを抑制することができる。
【０１８２】
このように、本実施の形態に係る蓄電セル２Ｅにおいても、ハイレート充放電を実施したとしても、蓄電セル２Ｅの内部抵抗が高くなることを抑制することができる。
【０１８３】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【符号の説明】
【０１８４】
１  蓄電装置、２，２Ａ，２Ｂ，２Ｃ，２Ｄ，２Ｅ  蓄電セル、３  拘束部材、５，６  拘束板、７  拘束バンド、１０  収容ケース、１１，１１Ａ，１１Ｃ，１１Ｄ，１１Ｅ  電極体、１２  電解液、１３，１３Ａ，１３Ｄ，１４，１４Ａ，１４Ｄ，１００，１６２  押圧部材、１５，１６  絶縁紙、１７  ケース本体、１８  蓋、１９  開口部、２０，２１  主板、２２  底板、２３，２４  端面板、３０  正極外部端子、３１  負極外部端子、３２  正極集電板、３３  負極集電板、３５，１２７  正極、３６，１２８  負極、３８Ａ，３８Ａ１，３８Ｂ１，３８Ｂ，３９Ａ１，３９Ａ，３９Ｂ，３９Ｂ１，１５１，１５２，１５３，１５４，１５５，１５６，１５７，１５８，１７０，１７１，１７２，１７３，１９０，１９１，１９２，１９３  縁部、４０，１３１  正極シート、４１，４３，１３０，１３２  セパレータ、４２，１３３  負極シート、４５，４８，１４０，１４５  金属箔、４６，１４１  正極合材層、４７，５０，１４２，１４７  未塗布部、４９，１４６  負極合材層、５１，５２  平坦部分、５３，５４，１２３，１２４  端面、５５，５６  湾曲部分、６０，６１，６２，６３  接続部分、６５，６５Ｄ，８０，８０Ｄ，１０１，１７５  板部、６６，６６Ｄ，８１，８１Ｄ，１０２，１７６，１７７  押圧部、６７，６７Ｄ，６８，６８Ｄ，８２，８２Ｄ，８３，８３Ｄ，１２０，１２１  主面、７０，７０Ａ，７０Ｄ，７１，７１Ａ，７１Ｄ，７２，７２Ａ，７２Ｄ，７３，７３Ａ，７３Ｄ，８６，８６Ａ，８６Ｄ，８７，８７Ａ，８７Ｄ，８８，８８Ａ，８８Ｄ，８９，８９Ａ，８９Ｄ，９２，９３，９６，９７，１１０，１１１，１１２，１１３，１７６，１７７，１７８，１７９，１８０  押圧辺、１０５  中空部、１２２  周面、１２５  上面、１２６  下面、１６０，１６１  分割電極体、１６３  空隙。
【図１】
2020061216.tif 000003
【図２】
2020061216.tif 000004
【図３】
2020061216.tif 000005
【図４】
2020061216.tif 000006
【図５】
2020061216.tif 000007
【図６】
2020061216.tif 000008
【図７】
2020061216.tif 000009
【図８】
2020061216.tif 000010
【図９】
2020061216.tif 000011
【図１０】
2020061216.tif 000012
【図１１】
2020061216.tif 000013
【図１２】
2020061216.tif 000014
【図１３】
2020061216.tif 000015
【図１４】
2020061216.tif 000016
【図１５】
2020061216.tif 000017
【図１６】
2020061216.tif 000018
【図１７】
2020061216.tif 000019
【図１８】
2020061216.tif 000020
【図１９】
2020061216.tif 000021
【図２０】
2020061216.tif 000022
【図２１】
2020061216.tif 000023
【図２２】
2020061216.tif 000024
【図２３】
2020061216.tif 000025
【図２４】
2020061216.tif 000026
【図２５】
2020061216.tif 000027